(57)【特許請求の範囲】
【請求項１】
車輌に搭載された太陽光発電部及び蓄電部から、外部機器を接続するために前記車輌に設けられた複数の接続部への電力供給に係る制御を行う制御手段を備える車載電力供給制御装置において、
前記太陽光発電部が発電する電力値を検知する発電検知手段と、
前記蓄電部の蓄電量を検知する蓄電検知手段と、
前記接続部に接続され得る外部機器の推定消費電力値を、外部機器の種別毎にそれぞれ予め記憶した記憶手段と、
前記接続部に接続された外部機器への電力供給元の選択を受け付ける供給元選択受付手段と、
前記複数の接続部に接続する外部機器の種別の選択を受け付ける機器種別選択受付手段と、
該機器種別選択受付手段が受け付けた種別及び前記記憶手段に記憶された推定消費電力値を基に、前記複数の接続部に接続される外部機器の推定消費電力値の合計値を算出する算出手段と、
前記供給元選択受付手段が受け付けた電力供給元に係る電力値、及び、前記算出手段が算出した推定消費電力値の合計値を表示する表示手段と
を備えること
を特徴とする車載電力供給制御装置。
【請求項２】
前記機器種別選択受付手段は、前記複数の接続部に接続する外部機器の複数の種別の選択を順次的に受け付けるようにしてあり、
前記算出手段は、前記機器種別選択受付手段が選択を受け付ける都度、合計値の算出を行うようにしてあり、
前記機器種別選択受付手段が選択を受け付ける都度、推定消費電力値の合計値が電力供給元に係る電力値を超えないように、前記機器種別選択受付手段による以降の選択受付を制限する制限手段を更に備えること
を特徴とする請求項１に記載の車載電力供給制御装置。
【請求項３】
前記制限手段は、
選択された電力供給元に係る電力値及び算出した推定消費電力値の合計値から、消費可能な残り電力値を算出し、
前記記憶手段に記憶された推定消費電力値が前記残り電力値を超える外部機器の種別が選択不可能となるように、前記機器種別選択受付手段による選択の受け付けを制限するようにしてあること
を特徴とする請求項２に記載の車載電力供給制御装置。
【請求項４】
前記太陽光発電部にて発電されて前記接続部に接続された外部機器にて消費されない余剰電力を前記蓄電部へ蓄積するようにしてあること
を特徴とする請求項１乃至請求項３のいずれか１つに記載の車載電力供給制御装置。
【請求項５】
選択された電力供給元に係る電力値が、算出した推定消費電力値の合計値より少なくなった場合に、前記記憶手段に記憶された推定消費電力値に基づいて、推定消費電力値が小さい外部機器が接続された接続部への電力供給を停止するようにしてあること
を特徴とする請求項１乃至請求項４のいずれか１つに記載の車載電力供給制御装置。
【発明の詳細な説明】
【技術分野】
【０００１】
本発明は、太陽光発電パネルなどの太陽光発電部とバッテリなどの蓄電部とを搭載した車輌にて、車室内などに設けた複数の接続部に複数の外部機器を接続することを可能とし、接続された外部機器へ太陽光発電が発電した電力又は蓄電部に蓄積された電力を供給する車載電力供給制御装置に関する。
【背景技術】
【０００２】
従来、車輌には走行中に発電した電力及びバッテリに蓄積した電力を外部機器へ供給するための電源ソケットが車室内などに設けられている。ユーザは、可搬型の電気機器などの外部機器を電源ソケットに接続することによって、車内又は車輌周辺にてこれらの外部機器を使用することができる。ただし、車輌のエンジンが停止された状態で外部機器の利用を継続して行った場合、バッテリの蓄電量がエンジン始動に必要な電力量より少ない状態、いわゆるバッテリ上がりの状態となる虞がある。
【０００３】
また電源ソケットを車輌に複数設けることによって、ユーザは複数の外部機器を同時的に使用することができ、車内における利便性などを向上することができるが、複数の外部機器が動作することによってバッテリからの電力の消費量が増大し、バッテリ上がりが生じる可能性が高まるという問題がある。
【０００４】
特許文献１においては、自然発電により得られたエネルギーを電力として無駄なく有効に使用することができる給電システムが提案されている。この給電システムは、太陽電池の発電電力を蓄積する二次電池と、太陽電池からの発電電力を負荷系統又は二次電池のいずれか又は両方へ供給する電力変換装置と、太陽電池の発電電力を昇圧して二次電池へ供給する昇圧器と、太陽電池の発電電力に応じて、太陽電池を昇圧器又は電力変換装置のいずれかに接続する選択制御装置とを備えている。これにより雨天などで太陽電池の発電量が少ない場合であっても、昇圧器が昇圧した電力を二次電池に蓄積することができる。
【先行技術文献】
【特許文献】
【０００５】
【特許文献１】特開２００４−２３８７９号公報
【発明の概要】
【発明が解決しようとする課題】
【０００６】
特許文献１に記載の発明のような太陽電池を利用したシステムを車輌に搭載し、太陽電池が発電した電力を電源ソケットに接続された外部機器へ供給する構成とすることによって、車輌のバッテリ上がりを抑制することができる。ただし、外部機器の種別によって消費電力は様々であり、消費電力の多い外部機器を複数動作させた場合には、全体での消費電力が太陽電池で発電される電力を超え、バッテリに蓄積された電力を短時間で消費する虞がある。
【０００７】
このため、太陽電池が発電する電力及びバッテリに蓄積された電力と、車輌の電源ソケットに接続して利用する外部機器の消費電力とをユーザが把握し、バッテリ上がりが生じないように適切に外部機器を利用することが望ましい。しかしながら、ユーザが消費電力を考慮して外部機器を利用することは容易ではない。
【０００８】
本発明は、斯かる事情に鑑みてなされたものであって、その目的とするところは、太陽光発電部（太陽電池）及び蓄電部（バッテリ）を搭載して複数の接続部（電源ソケット）への電力供給を可能とした車輌にて、太陽光発電部が発電する電力、蓄電部の蓄電量及び外部機器の消費電力等を考慮してユーザが外部機器を利用することを可能とし、車輌のバッテリ上がりが生じることを防止できる車載電力供給制御装置を提供することにある。
【課題を解決するための手段】
【０００９】
本発明に係る車載電力供給制御装置は、車輌に搭載された太陽光発電部及び蓄電部から、外部機器を接続するために前記車輌に設けられた複数の接続部への電力供給に係る制御を行う制御手段を備える車載電力供給制御装置において、前記太陽光発電部が発電する電力値を検知する発電検知手段と、前記蓄電部の蓄電量を検知する蓄電検知手段と、前記接続部に接続され得る外部機器の推定消費電力値を、外部機器の種別毎にそれぞれ予め記憶した記憶手段と、前記接続部に接続された外部機器への電力供給元の選択を受け付ける供給元選択受付手段と、前記複数の接続部に接続する外部機器の種別の選択を受け付ける機器種別選択受付手段と、該機器種別選択受付手段が受け付けた種別及び前記記憶手段に記憶された推定消費電力値を基に、前記複数の接続部に接続される外部機器の推定消費電力値の合計値を算出する算出手段と、前記供給元選択受付手段が受け付けた電力供給元に係る電力値、及び、前記算出手段が算出した推定消費電力値の合計値を表示する表示手段とを備えることを特徴とする。
【００１０】
また、本発明に係る車載電力供給制御装置は、前記機器種別選択受付手段が、前記複数の接続部に接続する外部機器の複数の種別の選択を順次的に受け付けるようにしてあり、前記算出手段は、前記機器種別選択受付手段が選択を受け付ける都度、合計値の算出を行うようにしてあり、前記機器種別選択受付手段が選択を受け付ける都度、推定消費電力値の合計値が電力供給元に係る電力値を超えないように、前記機器種別選択受付手段による以降の選択受付を制限する制限手段を更に備えることを特徴とする。
【００１１】
また、本発明に係る車載電力供給制御装置は、前記制限手段が、選択された電力供給元に係る電力値及び算出した推定消費電力値の合計値から、消費可能な残り電力値を算出し、前記記憶手段に記憶された推定消費電力値が前記残り電力値を超える外部機器の種別が選択不可能となるように、前記機器種別選択受付手段による選択の受け付けを制限するようにしてあることを特徴とする。
【００１２】
また、本発明に係る車載電力供給制御装置は、前記太陽光発電部にて発電されて前記接続部に接続された外部機器にて消費されない余剰電力を前記蓄電部へ蓄積するようにしてあることを特徴とする。
【００１３】
また、本発明に係る車載電力供給制御装置は、選択された電力供給元に係る電力値が、算出した推定消費電力値の合計値より少なくなった場合に、前記記憶手段に記憶された推定消費電力値に基づいて、推定消費電力値が小さい外部機器が接続された接続部への電力供給を停止するようにしてあることを特徴とする。
【００１４】
本発明においては、太陽光発電部及び蓄電部を搭載して複数の接続部への電力供給を可能とした車輌にて、接続部に接続され得る外部機器の推定消費電力値を外部機器の種別毎にそれぞれ予め記憶しておき、接続部に外部機器を接続する際にユーザから接続する外部機器の種別の選択を受け付ける。種別選択の受け付けは、例えば液晶パネルなどに外部機器の種別を一覧表示してユーザに選択させるなどの方法で行うことができる。複数の接続部についてそれぞれ外部機器の種別の選択を受け付け、選択された外部機器の種別に対応する推定消費電力値を読み出して、外部機器の推定消費電力値の合計値を算出し、算出した合計値を液晶パネルなどに表示する。
また複数の接続部に電力供給を行う供給元として太陽光発電部又は蓄電部のいずれかの選択をユーザから受け付けると共に、太陽光発電部が発電する電力値及び蓄電部の蓄電量をそれぞれ検知し、電力供給元として選択された太陽光発電部又は蓄電部に係る電力値を表示する。
これらによりユーザは、選択した電力供給元に係る電力値と、外部機器の推定消費電力値との表示を確認しながら、接続部に対する外部機器の接続を行うことができる。よって、ユーザは電力供給元の電力値を超えないように外部機器の接続及び利用を行うことが可能となり、車輌のバッテリ上がり（蓄電部の蓄電量低下）が発生することを防止できる。
【００１５】
また、本発明においては、複数の接続部に接続する外部機器の種別選択を受け付ける場合、複数の種別の選択を同時的に受け付けるのではなく、種別の選択を一つずつ順に受け付けて、種別選択を一つ受け付ける毎に推定消費電力値の合計値を算出して表示する。これによりユーザは、自らが選択した外部機器による消費電力値の増加分を確認することができ、この外部機器の消費電力値を確認することができる。
更に、種別選択を一つ受け付ける毎に、電力供給元の電力値及び推定消費電力値の合計値を基に、これ以降に接続部に接続する外部機器によって推定消費電力値の合計値が電力供給元の電力値を超えることがないように、以降の外部機器の種別選択において選択を受け付ける種別の制限を行う。これにより、ユーザが誤って消費電力の多い外部機器を接続することを防止できる。
【００１６】
具体的には、電力供給元として選択された太陽光発電部が発電する電力値又は蓄電部の蓄電量に基づく電力値と、これまでに種別の選択を受け付けた外部機器の推定消費電力値の合計値とから、消費可能な残り電力値を算出して、推定消費電力値が残り電力値を超える外部機器の種別が選択不可能となるように選択制限を行う。これにより、電力供給元の電力値を超えた消費電力の外部機器が選択され、ユーザによって接続部への接続及び利用がなされることを防止できる。
【００１７】
また、本発明においては、太陽光発電部にて十分な電力が発電され、且つ、接続部に接続された外部機器の消費電力値が少ない場合には余剰電力が生じるため、この余剰電力を蓄電部へ蓄積する。これにより、蓄電部に電力が蓄積されるため、車輌のバッテリ上がりを抑制することができる。
【００１８】
また、太陽光発電部を電力供給元として選択した後には、天候の変化（晴天から雨天へ）又は日照量の変化（昼間から夜間へ）等の要因で、太陽光発電部が発電する電力値が変化する場合がある。蓄電部を電力供給元として選択した後には、蓄積された電力が外部機器の動作によって消費され、蓄電部の蓄電量は変化する。
そこで本発明においては、電力供給元の選択及び外部機器の種別の選択を受け付けた後に、電力供給元の電力値が推定消費電力値の合計値より少なくなった場合、推定消費電力値が小さい外部機器が接続された接続部から電力供給を停止していく。これにより、ユーザが利用中の複数の外部機器のうち、消費電力値が大きい外部機器を最後まで使用することが可能となる。
【発明の効果】
【００１９】
本発明による場合は、複数の接続部に接続する外部機器の種別の選択を受け付け、選択された外部機器による推定消費電力値の合計値を算出して表示すると共に、電力供給元として太陽光発電部又は蓄電部のいずれかの選択を受け付け、選択された電力供給元に係る電力値を検知して表示する構成とすることにより、ユーザは電力供給元に係る電力値及び外部機器の推定消費電力値の表示を確認しながら外部機器の接続及び利用を行うことができる。よって、ユーザが適切な外部機器の利用を行うことができるため、車輌のバッテリ上がりが生じることを防止できる。
【図面の簡単な説明】
【００２０】
【図１】本発明に係る車載電力供給制御装置の構成を示すブロック図である。
【図２】車載電力供給制御装置の表示部及び操作部の一構成例を示す模式図である。
【図３】車載電力供給制御装置の表示部及び操作部の一構成例を示す模式図である。
【図４】本発明に係る車載電力供給制御装置が行う処理の手順を示すフローチャートである。
【図５】本発明に係る車載電力供給制御装置が行う処理の手順を示すフローチャートである。
【図６】本発明に係る車載電力供給制御装置が行う処理の手順を示すフローチャートである。
【図７】変形例に係る車載電力供給制御装置が行う電力供給停止処理の手順を示すフローチャートである。
【発明を実施するための形態】
【００２１】
以下、本発明をその実施の形態を示す図面に基づき具体的に説明する。図１は、本発明に係る車載電力供給制御装置の構成を示すブロック図である。なお、図１においては、電力供給経路を太線で示し、信号伝達経路を細線の矢印で示してある。図において破線で示す１は車輌であり、車輌１には太陽光発電部２１と蓄電部２２とが搭載されている。太陽光発電部２１は、例えばパネル状をなして車輌１の車体表面などに配設され、太陽光などの光エネルギーを電力に変換して出力する（即ち発電する）装置である。太陽光発電部２１が発電した電力は、車載電力供給制御装置１０へ出力される。
【００２２】
蓄電部２２は、車載電力供給制御装置１０から与えられた電力を蓄積すると共に、蓄積した電力を車載電力供給制御装置１０の接続部１５に接続された外部機器３０へ供給する。蓄電部２２は、例えば従来の車輌に搭載された鉛蓄電池（いわゆるバッテリ）で構成することができ、また例えば電気自動車などに搭載されたリチウムイオン電池などで構成することもできる。蓄電部２２に蓄積される電力は、太陽光発電部２１が発電した電力であり、更には車輌１の他の発電機（オルタネータなど）が発電した電力であってよい。
【００２３】
車載電力供給制御装置１０は、車輌１の運転席近傍などに配され、電力供給制御部１１、表示部１２、操作部１３、推定消費電力値記憶部１４、発電検知部１６及び蓄電検知部１７と、複数の（図１においては５つの）接続部１５とを備えて構成されている。電力供給制御部１１は、太陽光発電部２１、蓄電部２２及び複数の接続部１５のそれぞれと個別の電力供給経路を介して接続されており、これら複数の電力供給経路同士の接続／遮断を制御することによって、太陽光発電部２１又は蓄電部２２から各接続部１５への電力供給の制御、並びに、太陽光発電部２１から蓄電部２２への電力供給の制御を行っている。また電力供給制御部１１は、太陽光発電部２１又は蓄電部２２から供給される電力の電圧値又は電流値等を変換して接続部１５へ出力する変換回路などを備えてもよい。
【００２４】
表示部１２は、車輌１の運転席近傍に配された液晶パネルなどで構成されるものであり、電力供給制御部１１から与えられる命令に応じて種々の情報を表示する。操作部１３は、表示部１２の近傍に並べて配された複数のスイッチなどで構成されるものであり、ユーザの操作を受け付けて電力供給制御部１１へ通知する。表示部１２及び操作部１３の詳細な構成は後述する。
【００２５】
推定消費電力値記憶部１４は、マスクＲＯＭ（Read Only Memory）、ＥＥＰＲＯＭ（Electrically Erasable Programmable ＲＯＭ）又はフラッシュメモリ等の不揮発性のメモリ素子で構成されている。推定消費電力値記憶部１４は、接続部１５に接続され得る外部機器３０の種別（例えばポータブルテレビ、ＬＥＤ（Light Emitting Diode）ライト又は電気毛布等）について、これら種別の外部機器３０が消費すると推定される電力値（例えば３０Ｗ、５０Ｗ、１００Ｗ等）が対応付けて記憶されている。推定消費電力値記憶部１４へのこれらの情報の記憶は、車載電力供給制御装置１０の製造工程などにおいて予め行われる。電力供給制御部１１は、推定消費電力値記憶部１４に記憶された情報を読み出し、これらの情報に基づいて種々の処理を行う。
【００２６】
接続部１５は、外部機器３０に設けられた電源プラグが挿入される電源ソケットなどで構成されており、電源ソケットに電源プラグが挿入されることによって外部機器３０が車載電力供給制御装置１０に接続され、電力供給制御部１１から外部機器３０までの電力供給経路が接続される。接続部１５には異なる種別の外部機器３０を接続することが可能であり、車載電力供給制御装置１０は複数の接続部１５を備えているため、ユーザは複数種別の外部機器３０を車輌１内で同時的に使用することができる。複数の接続部１５は、車輌１の同じ箇所に集中して配設してもよく、車輌１の適宜の箇所に分散して配設してもよい。
【００２７】
発電検知部１６は、太陽光発電部２１の近傍に（又は太陽光発電部２１から電力供給制御部１１までの電力供給経路中に）配設され、太陽光発電部２１が発電する電力値を検知して電力供給制御部１１へ通知する。
【００２８】
蓄電検知部１７は、蓄電部２２の近傍に配設され、蓄電部２２の蓄電量を検知して電力供給制御部１１へ通知する。蓄電検知部１７は、例えば蓄電部２２の入出力端子の端子電圧を測定して蓄電量を推定する構成であってよく、また例えば蓄電部２２へ入出力される電流量の積分値を算出して蓄電量を検知する構成であってよく、その他の方法で蓄電量を検知する構成であってよい。
【００２９】
外部機器３０は、車輌１に設けられた接続部１５に接続可能な電源プラグを有し、電源プラグに供給された電力によって動作する機器である。外部機器３０は、例えばポータブルテレビ、ＬＥＤライト又は電気毛布等の種々の電気機器であってよい。
【００３０】
車載電力供給制御装置１０の電力供給制御部１１は、ユーザとの情報交換に係る以下の処理を行う。
（１）外部機器３０への電力供給元として、太陽光発電部２１又は蓄電部２２の選択を操作部１３にて受け付ける処理。
（２）選択された電力供給元に係る電力値を、発電検知部１６又は蓄電検知部１７の検知結果に基づいて、表示部１２に表示する処理。
（３）各接続部１５に接続する外部機器３０の種別の選択を操作部１３にて受け付ける処理。
（４）種別を選択された外部機器３０の推定消費電力値を表示部１２に表示する処理。
【００３１】
図２及び図３は、車載電力供給制御装置１０の表示部１２及び操作部１３の一構成例を示す模式図である。図示の例は、車載電力供給制御装置１０の表示部１２及び操作部１３を、車輌１のエアーコンディショナー（以下、単にエアコンという）の表示部及び操作部と共に設けた構成であり、中央には略矩形の液晶パネルによる表示部１２が設けられ、表示部１２の右側に車載電力供給制御装置１０の操作部１３が設けられ、表示部１２の左側にエアコンの操作部が設けられている。また表示部１２は、右側２／３程度の領域が車載電力供給制御装置１０用の表示領域として用いられ、左側１／３程度の領域がエアコン用の表示領域として用いられる。
【００３２】
車載電力供給制御装置１０の操作部１３には、太陽電池選択スイッチ１３ａ、バッテリ選択スイッチ１３ｂ、確定スイッチ１３ｃ、キャンセルスイッチ１３ｄ及び上下移動スイッチ１３ｅが設けられている。太陽電池選択スイッチ１３ａ及びバッテリ選択スイッチ１３ｂは、外部機器３０への電力供給元の選択を受け付けるためのスイッチである。電力供給制御部１１は、太陽電池選択スイッチ１３ａが操作された場合、太陽光発電部２１が電力供給元となるように、太陽光発電部２１から接続部１５への電力供給経路を接続する。また電力供給制御部１１は、バッテリ選択スイッチ１３ｂが操作された場合、蓄電部２２が電力供給元となるように、蓄電部２２から接続部１５への電力供給経路を接続する。
【００３３】
更に電力供給制御部１１は、太陽電池選択スイッチ１３ａ又はバッテリ選択スイッチ１３ｂによって選択された電力供給元を表示部１２の略中央に表示する。図２には太陽光発電部２１が選択された場合の表示例を示し、図３には蓄電部２２が選択された場合の表示例を示してある。電力供給元の表示は、電力供給元を示す太陽電池又はバッテリの名称と、電力供給元が供給する電力値と、電力供給元を模式的に示すアイコンとで構成されている。
【００３４】
電力供給制御部１１は、太陽光発電部２１が選択された場合、発電検知部１６が検知した電力値を電力供給元の電力値として表示する。また電力供給制御部１１は、蓄電部２２が選択された場合、蓄電検知部１７が検知した蓄電部２２の蓄電量を基に、所定時間（例えば１０時間など）に亘って接続部１５に接続された外部機器３０へ供給することができる電力値（即ち、蓄電エネルギー／所定時間に相当する電力値）を算出し、この算出結果を電力供給元の電力値として表示する。
【００３５】
操作部１３の確定スイッチ１３ｃ、キャンセルスイッチ１３ｄ及び上下移動スイッチ１３ｅは、接続部１５に接続する外部機器３０の種別選択を受け付けるためのスイッチである。電力供給制御部１１は、表示部１２の右側領域に接続部１５に接続し得る外部機器３０の種別の名称を上下方向に一覧表示する。表示に必要な種別の名称に係る情報は、推定消費電力値記憶部１４に予め記憶されている。電力供給制御部１１は、種別名称の一覧表示の左側に１つの矢印を表示しており、この矢印がいずれか１つの種別名称を指し示すように、上下移動スイッチ１３ｅに対する操作に応じてこの矢印を上下方向に移動させる。なお種別名称の全てを表示部１２に一覧表示できない場合には、矢印の上下移動に応じて種別名称をスクロール表示してもよい。
【００３６】
電力供給制御部１１は、確定スイッチ１３ｃに対する操作がなされた場合、矢印が指し示す外部機器３０がユーザにより選択されたものとして、種別名称の左側に丸印の選択マークを表示する。また電力供給制御部１１は、キャンセルスイッチ１３ｄに対する操作がなされた場合、矢印が指し示す外部機器３０の選択がユーザによりキャンセルされたものとして、種別名称の左側の選択マークを非表示とする。これにより電力供給制御部１１は、接続部１５に接続する外部機器３０の種別の選択を、１つずつ順次的に受け付けることができる。なお、図２には電気毛布及びＬＥＤライトが選択された状態を示してあり、図３には冷蔵庫及び電気毛布が選択された状態を示してある。
【００３７】
また電力供給制御部１１は、確定スイッチ１３ｃ又はキャンセルスイッチ１３ｄにて接続部１５に接続する外部機器３０の種別の選択／非選択を受け付けた場合、選択状態の外部機器３０の全種別について推定消費電力値記憶部１４に記憶された推定消費電力値をそれぞれ読み出し、読み出した推定消費電力値の合計値を算出する。電力供給制御部１１は、算出した推定消費電力値の合計値を表示部１２の下側領域に消費電力合計として表示する。なお電力供給制御部１１による推定消費電力値の合計値の算出及び算出結果の表示は、確定スイッチ１３ｃ又はキャンセルスイッチ１３ｄに対する操作がなされる都度、行われる。
【００３８】
ユーザは、外部機器３０を接続部１５に接続して使用する際、まず太陽電池選択スイッチ１３ａ又はバッテリ選択スイッチ１３ｂを操作して電力供給元の選択を行い、次いで確定スイッチ１３ｃ、キャンセルスイッチ１３ｄ又は上下移動スイッチ１３ｅを操作して接続部１５に接続する外部機器３０の種別を選択する。これらの選択操作によって、表示部１２には、電力供給元に係る電力値と、接続部１５に接続する（接続された）外部機器３０の推定消費電力値の合計値とが表示されるため、ユーザはこれらの表示を確認した後で外部機器３０の接続を行うことができる。
【００３９】
また電力供給制御部１１は、電力供給元に係る電力値から外部機器３０の推定消費電力値の合計値を減算することによって、更に別の外部機器３０へ供給可能な余剰の電力値を算出することができる。電力供給制御部１１は、算出した余剰の電力値と、外部機器３０の各種別の推定消費電力値とを比較し、推定消費電力値が余剰電力値を超える外部機器３０の種別が選択不可能となるように制限する。これにより、推定消費電力値の合計値が電力供給元に係る電力値を超えることを未然に防止することが可能となる。このときに電力供給制御部１１は、表示部１２にて行う外部機器３０の種別の一覧表示において、選択可能なものと選択不可能なものとを異なる方法（例えば、表示色、濃度、文字の太さ又はフォント等を別のものとする）で表示する。図２に示す例では、外部機器３０の種別”冷蔵庫”を選択不可能とし、他の種別より細字で表示したものである。
【００４０】
また電力供給制御部１１は、電力供給元として太陽光発電部２１が選択されている際に、太陽光発電部２１が発電する電力値が外部機器３０の推定消費電力値の合計値より多い場合には、余剰電力を蓄電部２２へ供給することによって蓄電を行う。
【００４１】
図４〜図６は、本発明に係る車載電力供給制御装置１０が行う処理の手順を示すフローチャートであり、図４及び図５には電力供給元の選択受け付けに係る処理を示し、図６には外部機器３０の種別選択受け付けに係る処理を示してある。車載電力供給制御装置１０の電力供給制御部１１は、操作部１３の太陽電池選択スイッチ１３ａ又はバッテリ選択スイッチ１３ｂに対する操作がなされたか否かを判定することによって、ユーザによる電力供給元の選択がなされたか否かを判定し（ステップＳ１）、電力供給元の選択がなされていない場合には（Ｓ１：ＮＯ）、選択がなされるまで待機する。
【００４２】
電力供給元の選択がなされた場合（Ｓ１：ＹＥＳ）、電力供給制御部１１は、電力供給元として太陽光発電部２１が選択されたか否かを調べる（ステップＳ２）。電力供給元として太陽光発電部２１が選択された場合（Ｓ２：ＹＥＳ）、電力供給制御部１１は、発電検知部１６にて太陽光発電部２１が発電する電力値を検知し（ステップＳ３）、検知した電力値が接続部１５に接続された外部機器３０の消費電力値（推定消費電力値の合計値）以上であるか否かを判定する（ステップＳ４）。発電する電力値が消費電力値より少ない場合（Ｓ４：ＮＯ）、電力供給制御部１１は、表示部１２にて警告表示を行い（ステップＳ５）、電力供給元の切り替えを行うことなく処理を終了する。
【００４３】
太陽光発電部２１が発電する電力値が外部機器３０の消費電力値以上の場合（Ｓ４：ＹＥＳ）、電力供給制御部１１は、表示部１２の電力供給元に係る表示を太陽電池とすると共に、発電検知部１６が検知した電力値を表示すべく、表示の更新を行う（ステップＳ６）。次いで電力供給制御部１１は、太陽光発電部２１から接続部１５への電力供給経路を接続することによって、太陽光発電部２１から接続部１５に接続された外部機器３０への電力供給を開始する（ステップＳ７）。
【００４４】
またこのときに、電力供給制御部１１は、太陽光発電部２１が発電する電力値が外部機器３０の消費電力値より多いか否かを判断することによって、余剰電力の有無を判定する（ステップＳ８）。電力供給制御部１１は、余剰電力がある場合には（Ｓ８：ＹＥＳ）、余剰電力を蓄電部２２へ供給して蓄電を行って（ステップＳ９）、また、余剰電力がない場合には（Ｓ８：ＮＯ）、蓄電を行うことなく、処理を終了する。
【００４５】
またステップＳ２にて、電力供給元として太陽光発電部２１が選択されておらず、蓄電部２２が選択された場合（Ｓ２：ＮＯ）、電力供給制御部１１は、蓄電検知部１７にて蓄電部２２の蓄電量を検知し（ステップＳ１０）、検知した蓄電量から、蓄電部２２が所定時間に亘って継続的に供給できる電力値の算出を行う（ステップＳ１１）。次いで電力供給制御部１１は、算出した電力値が接続部１５に接続された外部機器３０の消費電力値（推定消費電力値の合計値）以上であるか否かを判定する（ステップＳ１２）。蓄電部２２が供給できる電力値が外部機器３０の消費電力値より少ない場合（Ｓ１２：ＮＯ）、電力供給制御部１１は、表示部１２にて警告表示を行い（ステップＳ１３）、電力供給元の切り替えを行うことなく処理を終了する。
【００４６】
蓄電部２２が供給できる電力値が外部機器３０の消費電力値以上の場合（Ｓ１２：ＹＥＳ）、電力供給制御部１１は、表示部１２の電力供給元に係る表示をバッテリとすると共に、ステップＳ１１にて算出した電力値を表示すべく、表示の更新を行う（ステップＳ１４）。次いで電力供給制御部１１は、蓄電部２２から接続部１５への電力供給経路を接続することによって、蓄電部２２から接続部１５に接続された外部機器３０への電力供給を開始し（ステップＳ１５）、処理を終了する。
【００４７】
また、車載電力供給制御装置１０の電力供給制御部１１は、操作部１３の確定スイッチ１３ｃ又はキャンセルスイッチ１３ｄに対する操作がなされたか否かを判定することによって、接続部１５に接続する外部機器３０の種別選択がなされたか否かを判定し（ステップＳ３１）、種別選択がなされていない場合には（Ｓ３１：ＮＯ）、選択がなされるまで待機する。
【００４８】
外部機器３０の種別選択がなされた場合（Ｓ３１：ＹＥＳ）、電力供給制御部１１は、選択された全ての外部機器３０の種別について、推定電力値記憶部１４から推定消費電力値を読み出し（ステップＳ３２）、読み出した推定消費電力値の合計値を算出する（ステップＳ３３）。また電力供給制御部１１は、算出した推定消費電力値の合計値を電力供給元に係る電力値から減算することによって余剰電力値を算出し（ステップＳ３４）、算出した余剰電力値より推定消費電力値が多い外部機器３０の種別を非選択に決定する（ステップＳ３５）。次いで電力供給制御部１１は、選択された外部機器３０の種別に対して選択マークを付し、選択を解除された外部機器３０の種別に対して選択マークを外し、ステップＳ３５にて非選択の決定がなされた外部機器３０の種別に対して表示方法を変更すべく、表示部１２の表示を更新して（ステップＳ３６）、処理を終了する。
【００４９】
以上の構成の車載電力供給制御装置１０においては、接続部１５に接続され得る外部機器３０の推定消費電力値を種別毎に推定消費電力値記憶部１４に記憶しておき、外部機器３０の種別選択をユーザから受け付けて推定消費電力値の合計値を算出して表示すると共に、電力供給元として太陽光発電部２１又は蓄電部２２の選択を受け付けて電力値の表示を行う構成とすることにより、ユーザは、選択した電力供給元に係る電力値と、外部機器３０の推定消費電力値との表示を確認しながら、接続部１５に対する外部機器３０の接続を行うことができる。よってユーザは、電力供給元に係る電力値を超えないように外部機器３０の接続及び利用を行うことが可能となり、車輌１のバッテリ上がりを防止することができる。
【００５０】
また、外部機器３０の種別の選択を順次的に受け付け、選択を受け付ける毎に推定消費電力値の合計値を算出して表示すると共に、合計値が電力供給元に係る電力値を超えることがないように、以降の種別選択において選択の制限を行う構成とすることにより、ユーザが誤って消費電力値の大きい外部機器３０を接続することを防止できる。車載電力供給制御装置１０は、選択された電力供給元に係る電力値と、これまでに選択を受け付けた外部機器３０の推定消費電力値の合計値とから、消費可能な残り電力値を算出して、推定消費電力値が残り電力値を超える外部機器の種別が選択不可能となるように選択制限を行う。
【００５１】
また、太陽光発電部２１にて十分な電力が発電され、且つ、接続部１５に接続された外部機器３０の消費電力値が少ない場合に生じる余剰電力を蓄電部２２へ供給して蓄積する構成とすることにより、蓄電部２２の蓄電量を増加させることができ、車輌１のバッテリ上がりを抑制することができる。
【００５２】
なお、本実施の形態においては、車載電力供給制御装置１０が５つの接続部１５を備える構成としたが、これに限るものではなく、４つ以下又は６つ以上の接続部１５を備える構成であってよい。また、図２及び図３に示した表示部１２及び操作部１３の構成は一例であって、これに限るものではない。
【００５３】
（変形例）
電力供給元として太陽光発電部２１が選択されて外部機器３０への電力供給が開始された後、天候の変化などの影響によって太陽光発電部２１が発電する電力値が低下し、接続部１５に接続された外部機器３０の動作に必要な電力を発電することができなくなる場合がある。また電力供給元として蓄電部２２が選択されて外部機器３０への電力供給が開始された後、蓄電部２２の蓄電量が徐々に低下し、接続部１５に接続された外部機器３０へ十分な電力を供給することができなくなる場合がある。そこで変形例に係る車載電力供給制御装置１０は、選択された電力供給元に係る電力値が、接続部１５に接続された外部機器３０の推定消費電力値の合計値より少なくなった場合に、接続部１５への電力供給を順次的に停止する処理を行う。
【００５４】
この処理のために、変形例に係る車載電力供給制御装置１０は、接続部１５に接続する外部機器３０の種別の選択を受け付ける際に、いずれの接続部１５に外部機器３０を接続するかについての情報入力をユーザから受け付け、接続部１５と接続される外部機器３０の種別との対応情報を記憶しておく。また変形例に係る車載電力供給制御装置１０は、太陽光発電部２１又は蓄電部２２から各接続部１５への電力供給経路を個別に接続／遮断することができる。
【００５５】
その後、変形例に係る車載電力供給制御装置１０は、選択された電力供給元に係る電力値が、接続部１５に接続された外部機器３０の推定消費電力値の合計値より少なくなった場合、接続部１５に接続された各外部機器３０の推定消費電力値を推定消費電力値記憶部１４から読み出して、推定消費電力値が少ない外部機器３０が接続された接続部１５から順に電力供給を停止する。
【００５６】
図７は、変形例に係る車載電力供給制御装置１０が行う電力供給停止処理の手順を示すフローチャートである。変形例に係る車載電力供給制御装置１０の電力供給制御部１１は、選択された電力供給元に係る電力値の検知を発電検知部１６又は蓄電検知部１７にて行い（ステップＳ４１）、電力供給元に係る電力値が接続部１５に接続された外部機器３０の消費電力値（推定消費電力値の合計値）より少ないか否かを判定する（ステップＳ４２）。電力供給元に係る電力値が消費電力値より多い場合（Ｓ４２：ＮＯ）、電力供給制御部１１は、ステップＳ４１へ処理を戻し、上記の処理を繰り返し行う。
【００５７】
電力供給元に係る電力値が消費電力値より少ない場合（Ｓ４２：ＹＥＳ）、電力供給制御部１１は、接続部１５に接続された各外部機器３０の推定消費電力値を推定消費電力値記憶部１４から読み出す（ステップＳ４３）。次いで、電力供給制御部１１は、推定消費電力値が最も少ない一の外部機器３０が接続された一の接続部１５を選択し（ステップＳ４４）、選択した接続部１５への電力供給を停止する（ステップＳ４５）。その後、電力供給制御部１１は、電力供給元に係る電力値が外部機器３０の消費電力値より少ないか否かを判定し（ステップＳ４６）、電力供給元に係る電力値が消費電力値より少ない場合には（Ｓ４６：ＹＥＳ）、ステップＳ４４へ処理を戻し、推定消費電力値が少ない外部機器３０が接続された接続部１５への電力供給を停止する処理を繰り返し行う。電力供給元に係る電力値が消費電力値より多い場合（Ｓ４６：ＮＯ）、電力供給制御部１１は、電力供給停止処理を終了する。
【００５８】
以上の構成の変形例に係る車載電力供給制御装置１０は、電力供給元の選択及び外部機器３０の種別選択を受け付けた後、電力供給元に係る電力値が推定消費電力値の合計値より少なくなった場合に、推定消費電力値が少ない外部機器３０が接続された接続部１５への電力供給を停止する構成とすることにより、ユーザは、利用中の複数の外部機器３０のうち、消費電力値が大きい外部機器３０を最後まで利用することができる。
【００５９】
なお、上述の変形例においては、車載電力供給制御装置１０が単に接続部１５への電力供給を停止する構成としたが、これに限るものではなく、電力供給を停止する前にユーザに対する警告を行う構成としてもよい。
【符号の説明】
【００６０】
１  車輌
１０  車載電力供給制御装置
１１  電力供給制御部（制御手段、算出手段、制限手段）
１２  表示部（表示手段）
１３  操作部
１３ａ  太陽電池選択スイッチ（供給元選択受付手段）
１３ｂ  バッテリ選択スイッチ（供給元選択受付手段）
１３ｃ  確定スイッチ（機器種別選択受付手段）
１３ｄ  キャンセルスイッチ（機器種別選択受付手段）
１３ｅ  上下移動スイッチ（機器種別選択受付手段）
１４  推定消費電力値記憶部（記憶手段）
１５  接続部
１６  発電検知部（発電検知手段）
１７  蓄電検知部（蓄電検知手段）
２１  太陽光発電部
２２  蓄電部
３０  外部機器
【図１】
0005533528.tif 000002
【図２】
0005533528.tif 000003
【図３】
0005533528.tif 000004
【図４】
0005533528.tif 000005
【図５】
0005533528.tif 000006
【図６】
0005533528.tif 000007
【図７】
0005533528.tif 000008